(57)【要約】      （修正有）【課題】３つ以上の外装カバーで覆われる構成において、外装カバーの組み付け作業を容易化するとともに、外装カバーの合わせ部のシーリング性能を高めることを可能にした電子機器の提供。【解決手段】３つ以上の外装カバー３１０、３２０、４００で構成する電子機器であって、第１のシール部材３８０が配置されている第１の外装カバー３２０と、第２のシール部材４１０が配置されている第２の外装カバー４００と、第２のシール部材４１０に設けられた傾斜部４１１と、第１のシール部材３８０と第２のシール部材４１０が当接する当接部３１１、３１２を備える第３の外装カバー３１０と、を備え、第１の外装カバー３２０、第２の外装カバー４００、及び第３の外装カバー３１０の合わせ部において、第２のシール部材４１０は、第１のシール部材３８０に重なっている状態で、傾斜部４１１と第３の外装カバー３１０の当接部３１１、３１２を当接させる。【選択図】図８
2018005154.tif 000002
【特許請求の範囲】
【請求項１】
機器本体の外装を３つ以上の外装カバー（３１０、３２０、４００）で構成する電子機器であって、
第１のシール部材（３８０）が配置されている第１の外装カバー（３２０）と、
第２のシール部材（４１０）が配置されている第２の外装カバー（４００）と、
前記第２のシール部材（４１０）に設けられた傾斜部（４１１）と、
前記第１のシール部材（３８０）と前記第２のシール部材（４１０）が当接する当接部（３１１、３１２）を備える第３の外装カバー（３１０）と、を備え、
前記第１の外装カバー（３２０）、前記第２の外装カバー（４００）、及び前記第３の外装カバー（３１０）の合わせ部において、
前記第２のシール部材（４１０）は、前記第１のシール部材（３８０）に重なっている状態で、前記傾斜部（４１１）と前記第３の外装カバー（３１０）の当接部（３１１、３１２）を当接させていることを特徴とする電子機器。
【請求項２】
前記第２のシール部材（４１０）は、前記第１のシール部材（３８０）よりも硬度が高いことを特徴とする請求項１に記載の電子機器。
【請求項３】
前記第２のシール部材（４１０）は、前記第２の外装カバー（４００）に一体成型されていることを特徴とする請求項１又は請求項２に記載の電子機器。
【請求項４】
前記第１のシール部材（３８０）が配置されている前記第１の外装カバー（３２０）と、前記第１のシール部材（３８０）と対向する前記第３の外装カバー（３１０）の当接部（３１２）の間隔は、前記第１の外装カバー（３２０）、前記第２の外装カバー（４００）、及び前記第３の外装カバー（３１０）の合わせ部に向かって、縮小されていることを特徴とする請求項１乃至請求項３の何れか一項に記載の電子機器。
【発明の詳細な説明】
【技術分野】
【０００１】
本発明は、デジタルカメラやデジタルビデオカメラなどの電子機器に関し、特に外装部材の合わせ部の防滴構造に関する。
【背景技術】
【０００２】
従来、デジタルカメラなどの携行型の電子機器では、屋外等での使用において水滴や砂ぼこりがカメラ内部に侵入することを防ぐために、防滴防塵機能を備えるものがあった。      
【０００３】
特許文献１では、防滴構造を有する電子機器が開示されている。カメラなどのバッテリアダプタにおいて、上カバーと下カバーの間にループ状の防水シールを配置して、防滴機能を実現している。
【先行技術文献】
【特許文献】
【０００４】
【特許文献１】特開２００５−３７９２１号公報
【発明の概要】
【発明が解決しようとする課題】
【０００５】
しかしながら、上述の特許文献１に開示された従来技術では、機器本体の外装を３つ以上の外装カバーで覆う場合、シール部材を分割する必要があるため、分割されたシール部材の端面で隙間ができないように組み付ける作業が困難である。
このため、作業者の熟練度により、シーリング性能にバラツキが発生する問題がある。
【０００６】
そこで、本発明の目的は、電子機器本体が３つ以上の外装カバーで覆われる構成において、３つ以上の外装カバーの組み付け作業を容易化するとともに、３つ以上の外装カバーの合わせ部のシーリング性能を高めることを可能にした電子機器を提供することにある。
【課題を解決するための手段】
【０００７】
上記の目的を達成するために、本発明に係る電子機器は、
機器本体の外装を３つ以上の外装カバー（３１０、３２０、４００）で構成する電子機器であって、
第１のシール部材（３８０）が配置されている第１の外装カバー（３２０）と、
第２のシール部材（４１０）が配置されている第２の外装カバー（４００）と、
前記第２のシール部材（４１０）に設けられた傾斜部（４１１）と、
前記第１のシール部材（３８０）と前記第２のシール部材（４１０）が当接する当接部（３１１、３１２）を備える第３の外装カバー（３１０）と、を備え、
前記第１の外装カバー（３２０）、前記第２の外装カバー（４００）、及び前記第３の外装カバー（３１０）の合わせ部において、
前記第２のシール部材（４１０）は、前記第１のシール部材（３８０）に重なっている状態で、前記傾斜部（４１１）と前記第３の外装カバー（３１０）の当接部（３１１、３１２）を当接させていることを特徴とする。
【発明の効果】
【０００８】
本発明によれば、電子機器本体が３つ以上の外装カバーで覆われる構成において、３つ以上の外装カバーの組み付け作業を容易化するとともに、３つ以上の外装カバーの合わせ部のシール性能を高めることを可能にした電子機器を提供することができる。
【図面の簡単な説明】
【０００９】
【図１】本発明の実施形態におけるカメラ全体の概略構成を示す斜視図である。
【図２】本発明の実施形態におけるカメラの正面から見た分解斜視図である。
【図３】本発明の実施形態におけるカメラの背面から見た分解斜視図である。
【図４】本発明の実施形態における正面カバー、上面カバー、アンテナカバーの組立順序を示す分解斜視図である。
【図５】本発明の実施形態におけるアンテナカバーの下面図である。
【図６】本発明の実施形態におけるアンテナカバーのシール部を説明する図である。
【図７】本発明の実施形態におけるシール部が、上面カバーと当接する箇所の断面図である。
【図８】本発明の実施形態における上面カバーとアンテナカバーと正面カバーの合わせ部の断面図である。
【発明を実施するための形態】
【００１０】
以下に、本発明の好ましい実施の形態を、添付の図面に基づいて詳細に説明する。本実施形態では、電子機器としてデジタル一眼レフカメラ（以下、カメラという）を取り上げて説明する。
【００１１】
まず、本発明の実施例に係るカメラの全体の概略構成について図１を参照して説明する。
図１は本実施例に係るカメラ１の外観図であり、撮影レンズユニット（不図示）を外した状態を示している。図１（ａ）は、カメラ１を前面側（Ｆｒ側）から見た斜視図であり、図１（ｂ）は、カメラ１を背面側（Ｒｒ側）から見た斜視図である。カメラ１の上側をＴ、下側をＢとする。背面側Ｒｒから見て、カメラ１の右側をＲ、左側をＬとする。
【００１２】
図１（ａ）に示すように、カメラ１の正面には、撮影レンズユニットを着脱可能に固定するマウント部２が設けられている。マウント部２には、カメラ１と撮影レンズユニットとの間で制御信号、状態信号およびデータ信号等の通信を可能にし、撮影レンズユニット側に電力を供給するマウント接点３が設けられている。また、カメラ１には、マウント部２の近接した位置に、装着された撮影レンズユニットを取り外すときに押下するレンズロック解除ボタン４が設けられている。
【００１３】
カメラ１の内部には、撮影レンズを通過した撮影光束が導かれるミラーボックス２０が設けられている。ミラーボックス２０内には、撮影光束を所定の方向に反射させるメインミラー（クイックリターンミラー）６が配設されている。カメラ１には撮影者がカメラ１を保持するためのグリップ部９が設けられている。グリップ部９には、撮影者がカメラ１に対して撮影を指示するためのレリーズボタン１０が設けられている。カメラ１の上部には、フラッシュ取り付け用のシュー溝１２およびフラッシュ接点１３が設けられている。
【００１４】
また、図１（ｂ）に示すように、カメラ１の背面には、上述したメインミラー６により反射された撮像光束を撮影者が観察できるファインダ接眼窓１４が設けられている。カメラ１の背面の中央付近には、画像表示可能なカラー液晶モニタ１５が設けられている。側面には、撮影画像などを記録するメモリーカードを収納する部位を覆うカード蓋３０を備える。また、底面には、電池（不図示）を収納する部位を覆う電池蓋３１を備える。
【００１５】
本発明におけるＰ部の合わせ部のシーリング構成について、後程詳細を述べる。
【００１６】
図２はカメラ１の前面側Ｆｒから見た分解斜視図である。図３はカメラ１を背面側Ｒｒから見た分解斜視図である。
カメラ１は、本体ユニット４０が、正面カバー３１０、上面カバー３２０、背面カバー３３０、底面カバー３４０、右側カバー３５０、左側カバー３６０の外装カバーにより覆われる構成になっている。ペンタプリズム４１は、メインミラー６により反射された撮像光束を撮影者が観察できるファインダ接眼窓１４に導くように配置されている。
【００１７】
正面カバー３１０、上面カバー３２０、背面カバー３３０、底面カバー３４０は、マグネシウム合金で成型されている。これらの４カバーが組み付け時に合わさる部位には、シール部材が貼り付けられており、それぞれのカバーが組み合わせると、合わせ部でシール部材が押し潰されることにより防滴性能が満たされる。シール部材は、例えば、シリコンスポンジなどの防滴性能を備える材料で、構成される。また、シール部材の断面は略矩形で、カバー部材には両面テープなどの接着剤で貼り付けられる。
【００１８】
上面カバー３２０には、Ｆｒ側にシール部材３８０、３９０、Ｒｒ側にシール部材３２２が貼り付けられている。上面カバー３２０には、ＷｉＦｉアンテナ５０、ＧＰＳアンテナ５１が配置されており、それらを覆うアンテナカバー４００を備える。
【００１９】
アンテナカバー４００は、二色成型で作成され、１次成形材料は合成樹脂で、正面カバー３１０、上面カバー３２０との合わせ部には、２次成形材料であるエラストマーのシール部４１０が一体成型されている。上面カバー３２０にアンテナカバー４００が組み込まれることで、シール部材３８０、３９０と、シール部４１０は連結され、これらに対向する箇所は、正面カバー３１０の当接部３１２となる。
【００２０】
上面カバー３２０のシール部材３２２に対向する箇所は、背面カバー３３０の当接部３３２である。ＷｉＦｉアンテナ５０、ＧＰＳアンテナ５１の無線性能を満足するために、アンテナカバー４００の１次成形材料は非導電性の合成樹脂で成型されている。また、アンテナカバー４００の内観側に配置されている上面カバー３２０はマグネシウム合金で成型されているため、電磁シールド効果を備える。
【００２１】
このように、ペンタプリズム４１の上部において、アンテナカバー４００と上面カバー３２０で囲まれる空間にアンテナを配置することで、無線性能と電磁シールド性能が両立できている。
【００２２】
また、底面カバー３４０には、Ｆｒ側にシール部材３４１、Ｒｒ側にシール部材３４２が貼り付けられている。シール部材３４１に対向する箇所は、正面カバー３１０の当接部３１４であり、シール部材３４２に対向する箇所は、背面カバー３３０の当接部３３４である。
【００２３】
右側カバー３５０、左側カバー３６０は、二色成型で作成され、１次成形材料は合成樹脂で成型され、隣接する外装カバーとの合わせ部には、２次成形材料であるエラストマーのシール部が一体成型されている。
【００２４】
右側カバー３５０は、上面カバー３２０側にシール部３５２、背面カバー３３０側にシール部３５３、底面カバー３４０側にシール部３５４が配置されている。外装カバーのそれぞれ対抗する位置に当接面３２５、３３５、３４５が設けられている。左側カバー３６０は、正面カバー３１０側にシール部３６１、上面カバー３２０側にシール部３６２、背面カバー３３０側にシール部３６３、底面カバー３４０側にシール部３６４が配置されている。外装カバーのそれぞれ対抗する位置に当接面３１６、３２６、３３６、３４６が設けられている。
【００２５】
続いて、図１のＰ部の合わせ部のシーリング構成に関して、詳細を説明する。
請求項に記載している第１の外装カバーは上面カバー３２０、第２の外装カバーはアンテナカバー４１０、第３の外装カバーは正面カバー３１０である。
【００２６】
図４に、正面カバー３１０、上面カバー３２０、アンテナカバー４００の組立順序に関して説明する。
まずアンテナカバー４００は、上面カバー３２０に対して、Ｔ側からＢ側に、４か所のビス３７１，３７２、３７３、３７４により締結される。続いて、正面カバーは、Ｆｒ側からＢｒ側に２つのビス３７５、３７６により、上面カバー３２０の穴３２７、３２８を挿通して、本体４０に締結される。
【００２７】
図５はアンテナカバー４００の下面図であり、シール部４１０の配置を説明する。ビス穴４００ａ、４００ｂ、４００ｃ、４００ｄに上面カバー３２０を挿通したビス３７１，３７２、３７３、３７４が螺合することにより、上面カバー３２０と固定される。アンテナカバー４００には、シール部４１０がループ状に一体成型されている。図中矢印４１０ａの範囲は上面カバー３２０またはシール部材３８０、３９０と当接し、矢印４１０ｂの範囲は正面カバー３１０と当接することで、防滴性能を満たす構成になっている。
【００２８】
図６はシール部４１０の詳細を示す図である。図６（ａ）は図５のＶ部の拡大図である。図６（ｂ）のＥ−Ｅ断面図に、矢印４１０ａで示す上面カバー３２０またはシール部材３８０、３９０と当接する箇所のシール部４１０の断面を示す。図６（ｃ）のＦ−Ｆ断面図に、矢印４１０ｂで示す正面カバー３１０と当接する箇所のシール部４１０の断面を示す。
図６（ｂ）、（ｃ）に示すように、アンテナカバー４００に一体成型されたシール部４１０の断面は、略同一形状であり、傾斜部４１１と直線部４１２を備えたくさび型の形状をしている。
【００２９】
上面カバー３２０またはシール部材３８０、３９０と当接する範囲４１０ａと正面カバー３１０と当接する範囲４１０ｂは、図６（ａ）のＷで示す位置で直交している。
【００３０】
図７はシール部４１０が、上面カバー３２０と当接する範囲４１０ａの断面図を示す。図７（ａ）はシール部４１０が上面カバー３２０に当接する前の状態、図７（ｂ）はシール部４１０が上面カバー３２０に当接している状態を示す。
図７に示すように、シール部４１０は、傾斜部４１１と直線部４１２を備えるくさび型の形状になっている。これに対向する上面カバー３２０には、斜面３２１を設けられている。
【００３１】
図７（ｂ）に示すように、シール部４１０の傾斜部４１１が、上面カバー３２０の斜面３２１により、内観側（図中左側）に倒れることで、防滴性能を満たしている。一般的に、外装カバーの合わせ部におけるシーリングに関して、反発力が大きくなると、合わせ部の隙間が大きくなったり、ばらついたりする問題が生じる。従って、シール部４１０を図７に示すように、倒れるように変形させることで、防滴性能を満足しつつ、外装カバーの合わせ部の隙間も均一に保つことが可能となる。図７は上面カバー３２０との当接部を示しているが、正面カバー３１０と当接する箇所も図７と同様の構成である。
【００３２】
図８は図１のＰ部の断面をＬ側から見た断面図である。図８（ａ）は上面カバー３２０にアンテナカバー４００、正面カバー３１０が取り付けられる前の状態を示す。
上面カバー３２０には、シール部材３８０が貼り付けられており、シール部材３８０の厚みは、ｔである。アンテナカバー４００にはシール部４１０が一体成型されており、図６で説明した通り、傾斜部４１１と直線部４１２を備えたくさび型の形状をしている。
【００３３】
アンテナカバー４００は、上面カバー３２０に対して、Ｔ側からＢ側へ組み立てられる。続いて、正面カバー３１０が、Ｆｒ側からＢｒ側へ組み立てられる。正面カバー３１０には、シール部４１０を倒すための斜面の当接部３１１とシール部材３８０を潰すための当接部３１２が設けられている。
【００３４】
図８（ｂ）は上面カバー３２０にアンテナカバー４００、正面カバー３１０が組み付けられた状態の図である。
上面カバー３２０のシール部材３８０は、アンテナカバー４００のシール部４１０と接触することで、シーリングされている。この時、シール部４１０はシール部材３８０よりも硬度が高いため、シール部材３８０のほうが潰れる量は多い。
【００３５】
続いて、正面カバー３１０が組み込まれると、３つのカバーの合わせ部（Ｐ部）においては、正面カバー３１０の斜面の当接部３１１が、シール部４１０を倒し、かつシール部材３８０も共に潰すことでシーリングされる。図中、Ｐ部から右下にかけての上面カバー３２０と正面カバー３１０の合わせ部は、シール部材３８０を正面カバー３１０の当接部３１２が潰すことで、シーリングされる。上面カバー３２０と正面カバー３１０の合わせ部において、基本的には、シール部材３８０の厚みｔをｔａになるように潰す構成であるが、Ｐ部に向かって、潰し量がｔｂになるように、増加させている。これは、Ｐ部において、シール部４１０とシール部材３８０を合わせて潰す、つまり、弾性部材を重ねて潰すために通常部よりも押し潰し量を大きくする必要があるためである。
【００３６】
このようにシール部材３８０にシール部４１０を重ねた状態でシール部４１０の傾斜部４１１を押し倒すことで、３カバーが合わさるＰ部において、部品バラツキ、組立バラツキの影響を受けにくく、シール性能の向上を実現している。
【００３７】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００３８】
３１０  正面カバー、３１１  正面カバーの斜面、３２０  上面カバー、
３２１  上面カバーの斜面、３８０  シール部材、４００  アンテナカバー、
４１０  シール部、４１１  傾斜部、４１２  直線部
【図１】
2018005154.tif 000003
【図２】
2018005154.tif 000004
【図３】
2018005154.tif 000005
【図４】
2018005154.tif 000006
【図５】
2018005154.tif 000007
【図６】
2018005154.tif 000008
【図７】
2018005154.tif 000009
【図８】
2018005154.tif 000010